(57)【要約】【課題】少ない光源で任意の広い範囲を均一に光らせることが可能な照明装置を提供する。【解決手段】床、壁、天井などの表面と略面一になるように複数の透光パネル１０を敷設して透光パネル１０の下に密閉空間８を設けると共に、前記透光パネル１０に近接した床、壁、天井などの内部に前記密閉空間８に光を出射する光源部を設け、前記密閉空間８は前記透光パネルに対向する内面に導光シート３を備え、各透光パネル１０は光源部からの距離に応じて光拡散率が異なるようにした。複数の透光パネル１０は、パネル連結目地部に設けられた支柱２により支持される。前記光源部は密閉空間８の少なくとも一辺に沿って配置された導光チューブ５を備える。【選択図】        図１
2004186034.tif 000002
【特許請求の範囲】
【請求項１】
床、壁、天井などの表面と略面一になるように複数の透光パネルを敷設して透光パネルの下に密閉空間を設けると共に、前記透光パネルに近接した床、壁、天井などの内部に前記密閉空間に光を出射する光源部を設け、前記密閉空間は前記透光パネルに対向する内面に導光シートを備え、各透光パネルは光源部からの距離に応じて光拡散率が異なることを特徴とする照明装置。
【請求項２】
前記光源部は開閉可能な点検口を有することを特徴とする請求項１記載の照明装置。
【請求項３】
前記光源部は密閉空間の少なくとも一辺に沿って配置された導光チューブを備えることを特徴とする請求項１又は２記載の照明装置。
【請求項４】
複数の透光パネルは、パネル連結目地部に設けられた支柱により支持されていることを特徴とする請求項１〜３のいずれかに記載の照明装置。
【請求項５】
床、壁、天井などの表面と略面一になるように密閉構造の透光ブロックを複数配置し、前記透光ブロックに近接した床、壁、天井などの内部に前記透光ブロックに光を出射する光源部を設け、前記透光ブロックの裏面側に導光シートを配置したことを特徴とする照明装置。
【請求項６】
前記透光ブロックの内部に液体を充填したことを特徴とする請求項５記載の照明装置。
【発明の詳細な説明】
【０００１】
【発明の属する技術分野】
本発明は床、壁、天井などに配置される照明装置に関するものである。
【０００２】
【特許文献１】
特開平７−１５８２９３号公報
【従来の技術】
従来、パネルの内部に蛍光灯を設置することにより、パネル全体が発光しているように見せる照明手法が知られている。しかしながら、この方法では、パネルの直下に蛍光灯を設置するものであったので、発光面を均一に光らせるためには、ランプが多数必要であった。また、ランプ交換時には前面のパネルを外すか、内部に入り込んで交換する必要があり、メンテナンスに労力を要した。また、ランプ交換時にパネルの内面に埃やごみ等が入り、汚れる恐れがあった。
【０００３】
そこで、特許文献１（特開平７−１５８２９３号公報）には、導光パネルの両端に蛍光灯を配置することによりパネル全体が発光して見えるようにした天井照明装置が提案されているが、これは浴室の天井のような比較的狭い空間を発光させるものであり、任意の広さの床、壁、天井などを均一に発光させることはできなかった。
【０００４】
【発明が解決しようとする課題】
本発明は上述のような点に鑑みてなされたものであり、少ない光源で任意の広い範囲を均一に光らせることが可能な照明装置を提供することを課題とする。
【０００５】
【課題を解決するための手段】
請求項１の照明装置によれば、上記の課題を解決するために、図１〜図１１に示すように、床、壁、天井などの表面と略面一になるように複数の透光パネル１０を敷設して透光パネル１０の下に密閉空間８を設けると共に、前記透光パネル１０に近接した床、壁、天井などの内部に前記密閉空間８に光を出射する光源部を設け、前記密閉空間８は前記透光パネル１０に対向する内面に導光シート３を備え、各透光パネル１０は光源部からの距離に応じて光拡散率が異なることを特徴とする。
【０００６】
請求項２の照明装置によれば、請求項１において、前記光源部は開閉可能な点検口９を有することを特徴とする。
請求項３の照明装置によれば、請求項１又は２において、前記光源部は密閉空間８の少なくとも一辺に沿って配置された導光チューブ５を備えることを特徴とする。
請求項４の照明装置によれば、請求項１〜３のいずれかにおいて、複数の透光パネル１０は、パネル連結目地部に設けられた支柱２により支持されていることを特徴とする。
【０００７】
請求項５の照明装置によれば、図１２、図１３に示すように、床、壁、天井などの表面と略面一になるように密閉構造の透光ブロック１８を複数配置し、前記透光ブロック１８に近接した床、壁、天井などの内部に前記透光ブロック１８に光を出射する光源部を設け、前記透光ブロック１８の裏面側に導光シート３を配置したことを特徴とする。
請求項６の照明装置によれば、請求項５において、前記透光ブロック１８の内部に液体を充填したことを特徴とする。
【０００８】
【発明の実施の形態】
（実施の形態１）
本発明の第１の実施の形態に係る照明装置を図１〜図４に示す。この照明装置は床面が略均一に発光して見える光床であり、図１は斜視図、図２は断面図、図３は平面図、図４は透光パネルの断面図である。図中、１は光床（発光面）、２は支柱、３は導光シート、４は光源ボックス、５は導光チューブ（ライトチューブ）、６は反射板、７は仕切板、８は密閉空間、９は点検口、１０は透光パネル、１１はガラス板、１２は拡散シート、１３は透明導光シートである。
【０００９】
図１及び図２に示すように、光床１は複数枚の透光パネル１０を敷き詰めることにより構成されている。各透光パネル１０を支える支柱２は、透光パネル１０の接合面の目地部に設置し、影を目立ちにくくする。また、支柱２が透光パネル１０を支える面を丸く形成し、美観を損なわないようにする。透光パネル１０の大きさは特に限定されないが、例えば８０ｃｍ×８０ｃｍ程度の大きさとすれば、施工が容易である。支柱２を支える床面には導光シート３が設置されている。この導光シート３は、表面の反射率が高いミラーシート（例えば３Ｍ製シルバーラックスＴＭなど）で構成される。
【００１０】
図３に示すように、光床１の四隅に光源ボックス４を設置し、広範囲を略均一に発光させる。各光源ボックス４は高出力のランプ（例えば１ＫＷのスカイビームＴＭなど）を内蔵しており、光床１の両側（対向する２辺）に配置された導光チューブ５を発光させるように配置されている。光源ボックス４からの光は導光チューブ５の管軸方向の両端から入射されて導光チューブ５の全体を発光させるように構成されている。導光チューブ５の管径は特に限定されないが、例えば２５ｃｍ程度とすれば施工が容易である。導光チューブ５の光床１（発光面）と反対側には反射板６を設けると良い。光床１の広さは、例えば１２ｍ×１２ｍ程度とすれば、１ＫＷのランプ４個で十分に照明できる。
【００１１】
また、導光チューブ５を敷設した空間と透光パネル１０を敷き詰めた空間との間には、ガラス板等よりなる仕切板７を設けることで、光床１（発光面）の下は密閉空間８となる。このように、面積の広い光床１（発光面）の下が密閉空間８となることで、埃等の侵入による汚れの心配が無くなるため、光床１の部分はメンテナンスが不要となる。光源ボックス４の上部にのみ点検口９が設けられており、ランプ交換等の保守作業に利用される。このように、本発明の構成によれば、メンテナンス箇所が少なくて済む利点がある。
【００１２】
透光パネル１０は図４に示すように上下２枚のガラス板１１の間に拡散シート１２を備えると共に、下部のガラス板１１の表面に透明導光シート１３を貼り付けた構成となっている。上部のガラス板１１の表面は、歩行者Ａが足を滑らせないよう、ノンスリップ加工を施されている。光源ボックス４に近い透光パネル１０には複数枚の拡散シート１２を貼って、光源ボックス４から離れるほど拡散シート１２の枚数を減らすことにより透過率を変え、より輝度を均一にする。下部のガラス板１１の表面に貼り付けられた透明導光シート１３は、表面に微小なアクリルプリズムを多数形成されて配光特性を調整できるようにしたもので、例えば３Ｍ製トラフシートＴＭなどを用いる。ガラス板１１の板厚は特に限定されないが、例えば上下各１０ｍｍ程度の板厚とする。
【００１３】
なお、上記の構成では、光源ボックスと導光チューブを組み合わせて細長い光源部を構成しているが、導光チューブの設置されている箇所に細長い投光器等を配置する構成としても良い。
【００１４】
（実施の形態２）
本発明の第２の実施の形態に係る照明装置の平面図を図５に示す。この照明装置は、上述の第１の実施の形態において、光床１の４辺すべてに導光チューブ５を配置するように構成したものである。すなわち、図３では導光チューブ５は光床１の対向する２辺にのみ設けられていたが、光床１の四隅に設けられた各光源ボックス４をつなぐように、図５に示すように光床１の４辺すべてに導光チューブ５を配置する。導光チューブ５を２本から４本に増やしたことにより、広い範囲をより均一に発光させることが可能となる。その他の構成は第１の実施の形態と同じである。
【００１５】
（実施の形態３）
本発明の第３の実施の形態に係る照明装置を図６〜図８に示す。この照明装置も床面が略均一に発光して見える光床であり、図６は斜視図、図７は断面図、図８は平面図である。透光パネル１０の断面図は図４と同じである。図中、１は光床（発光面）、２は支柱、３は導光シート、４は光源ボックス、５は導光チューブ、６，１６は反射板、７，１７は仕切板、８は密閉空間、９は点検口、１０は透光パネルである。
【００１６】
この実施の形態は、図８に示すように、光床１の長辺側の１辺に導光チューブ５を配置したものであり、光床１の発光面積が小さい場合に適している。導光チューブ５の両端には光源ボックス４が配置されている。光床１の導光チューブ５を配置した側の長辺と反対側の長辺に沿って、図６及び図７に示すように、反射板１６を設置することで、より均一に発光させることができる。反射板１６を設けた空間と透光パネル１０を敷き詰めた空間との間には、ガラス板等よりなる仕切板１７を設けることで、光床１（発光面）の下は密閉空間８となる。その他の構成は第１の実施の形態で説明したものと同様である。
【００１７】
（実施の形態４）
本発明の第４の実施の形態に係る照明装置を図９〜図１１に示す。この照明装置も床面が略均一に発光して見える光床であり、図９は斜視図、図１０は断面図、図１１は平面図である。透光パネル１０の断面図は図４と同じである。図中、１は光床（発光面）、２は支柱、３は導光シート、４は光源ボックス、５は導光チューブ、７は仕切板、８は密閉空間、９は点検口、１０は透光パネルである。
【００１８】
この実施の形態は、導光チューブ５の両側に光床１を配置したものであり、光床１の発光面積が広く連続している場合に適している。各導光チューブ５の両端には光源ボックス４が配置されている。導光チューブ５を設けた空間と、その両側の透光パネル１０を敷き詰めた空間との間には、それぞれガラス板等よりなる仕切板７を設けることで、光床１（発光面）の下は密閉空間８となる。その他の構成は第１の実施の形態で説明したものと同様である。
【００１９】
（実施の形態５）
本発明の第５の実施の形態に係る照明装置を図１２、図１３に示す。この照明装置も床面が略均一に発光して見える光床であり、図１２は斜視図、図１３は断面図である。平面図は図３と同じである。図中、１は光床（発光面）、３は導光シート、５は導光チューブ、６は反射板、９は点検口、１８は透光ブロックである。
【００２０】
この実施の形態では、光床１（発光面）を透光パネルと支柱の組み合わせではなく、透光ブロック１８を敷き詰めることで構成している。透光ブロック１８は、透光性のあるガラスやアクリル等で密閉されたブロック状の部材であり、支柱が無くなるため、支柱の影がまったく無くなる。また、現場で密閉空間を作る必要が無くなり、あらかじめユニット化された透光ブロック１８を並べるだけで良いので、施工が簡単になる。さらに、透光ブロック１８は製造時に密閉されているため、使用中に内部に埃等が溜まって汚れる問題が無く、メンテナンスが不要となる。また、現場で密閉空間を作るための仕切板７も不要となる。なお、透光ブロック１８の下に敷く導光シート３の上に複数枚の拡散シートを貼り付けて、光源部からの距離に応じて拡散シートの枚数を調整することにより、広い面積をより均一に発光させることができる。
【００２１】
（実施の形態６）
上述の図１２及び図１３に示した実施の形態５において、透光ブロック１８の内部に透光性のある液体を充填しても良い。このようにすれば、水の揺らめき感を出すような演出効果を期待でき、水上を歩くような演出効果が得られる。
【００２２】
以上の実施の形態では、床面が発光して見える光床を例示したが、本発明の照明装置は、壁面が発光して見える光壁や、天井面が発光して見える光天井にも利用できる。
【００２３】
【発明の効果】
請求項１の照明装置によれば、床、壁、天井などの表面と略面一になるように複数の透光パネルを敷設して透光パネルの下に密閉空間を設けると共に、前記透光パネルに近接した床、壁、天井などの内部に前記密閉空間に光を出射する光源部を設け、前記密閉空間は前記透光パネルに対向する内面に導光シートを備え、各透光パネルは光源部からの距離に応じて光拡散率が異なるようにしたから、少ない光源部で任意の広い範囲を均一に光らせることが可能となる。また、光源部が少ないため、ランプ交換等の保守が容易である。さらに、保守の作業中に密閉空間の内部に埃やごみ等の汚れが入る恐れがない。
【００２４】
請求項２の照明装置によれば、請求項１において、前記光源部は開閉可能な点検口を有するので、透光パネルを取り外すことなく、ランプ交換等の保守作業を行なうことができる。
請求項３の照明装置によれば、請求項１又は２において、前記光源部は密閉空間の少なくとも一辺に沿って配置された導光チューブを備えるので、導光チューブの一端又は両端にランプを備えるだけで良く、ランプ交換等の保守が容易となる。
請求項４の照明装置によれば、請求項１〜３のいずれかにおいて、複数の透光パネルは、パネル連結目地部に設けられた支柱により支持されているので、支柱の影が目立ちにくくなる効果がある。
【００２５】
請求項５の照明装置によれば、床、壁、天井などの表面と略面一になるように密閉構造の透光ブロックを複数配置し、前記透光ブロックに近接した床、壁、天井などの内部に前記透光ブロックに光を出射する光源部を設け、前記透光ブロックの裏面側に導光シートを配置したので、透光パネルを支える支柱が無くなり、支柱の影が無くなる。また、現場で密閉空間を作る必要が無くなり、あらかじめユニット化された透光ブロックを並べるだけで良いので、施工が簡単になる。さらに、透光ブロックは製造時に密閉されているため、使用中に内部に埃等が溜まって汚れる問題が無く、メンテナンスが不要となる。
請求項６の照明装置によれば、請求項５において、前記透光ブロックの内部に液体を充填したので、水の揺らめき感を出すような演出効果を期待でき、特に床面の照明に用いた場合には、水上を歩くような演出効果が得られる。
【図面の簡単な説明】
【図１】本発明の第１の実施の形態に係る照明装置の斜視図である。
【図２】本発明の第１の実施の形態に係る照明装置の断面図である。
【図３】本発明の第１の実施の形態に係る照明装置の平面図である。
【図４】本発明の第１の実施の形態に係る照明装置に用いる透光パネルの断面図である。
【図５】本発明の第２の実施の形態に係る照明装置の平面図である。
【図６】本発明の第３の実施の形態に係る照明装置の斜視図である。
【図７】本発明の第３の実施の形態に係る照明装置の断面図である。
【図８】本発明の第３の実施の形態に係る照明装置の平面図である。
【図９】本発明の第４の実施の形態に係る照明装置の斜視図である。
【図１０】本発明の第４の実施の形態に係る照明装置の断面図である。
【図１１】本発明の第４の実施の形態に係る照明装置の平面図である。
【図１２】本発明の第５の実施の形態に係る照明装置の斜視図である。
【図１３】本発明の第５の実施の形態に係る照明装置の断面図である。
【符号の説明】
１    光床
２    支柱
３    導光シート
４    光源ボックス
５    導光チューブ
６    反射板
７    仕切板
８    密閉空間
９    点検口
１０  透光パネル
１１  ガラス板
１２  拡散シート
１３  透明導光シート
１６  反射板
１７  仕切板
１８  透光ブロック
【図１】
2004186034.tif 000003
【図２】
2004186034.tif 000004
【図３】
2004186034.tif 000005
【図４】
2004186034.tif 000006
【図５】
2004186034.tif 000007
【図６】
2004186034.tif 000008
【図７】
2004186034.tif 000009
【図８】
2004186034.tif 000010
【図９】
2004186034.tif 000011
【図１０】
2004186034.tif 000012
【図１１】
2004186034.tif 000013
【図１２】
2004186034.tif 000014
【図１３】
2004186034.tif 000015